(57)【要約】【課題】  ラジエータ１の第１受け部７の変形ストローク量を確保しつつ、第２受け部８の前後方向の突出長さを抑えてコンパクトにでき、これによって、車両搭載時の周辺のレイアウトの自由度を拡大できるラジエータ１の周辺部材固定構造の提供。【解決手段】  本実施例１のラジエータと周辺部材の固定構造にあっては、ラジエータ１の樹脂製のタンク５（４）に、該タンク５（４）の一部を内側に窪ませて形成された凹部６から前後方向に突出する舌片状の第１受け部７と、この第１受け部７の下方に近接した部位から略Ｌ字状に突出する第２受け部８を設け、コンデンサ２に、第１受け部７を前後方向へ弾性変形させながら上方から第２受け部８の内側に挿入して該第１受け部７に係止可能な挿入部１７を設けた。【選択図】      図１２
2007216749.tif 000002
【特許請求の範囲】
【請求項１】
ラジエータの樹脂製のタンクに、該タンクの一部を内側に窪ませて形成された凹部から前後方向に突出する舌片状の第１受け部と、この第１受け部の下方に近接した部位から略Ｌ字状に突出する第２受け部を設け、
前記ラジエータの周辺部材に、第１受け部を前後方向へ弾性変形させながら上方から第２受け部の内側に挿入して該第１受け部に係止可能な挿入部を設けたことを特徴とするラジエータと周辺部材の固定構造。
【発明の詳細な説明】
【技術分野】
【０００１】
本発明は、ラジエータと周辺部材の固定構造に関する。
【背景技術】
【０００２】
従来、ラジエータと周辺部材をボルト等の締結部材を用いて共に固定する技術が公知になっている（特許文献１参照）。
しかしながら、このようなラジエータと周辺部材の固定構造では、両者の固定に時間と手間が大変掛かるという問題点があった。
そこで、ラジエータの樹脂製のタンクに、前後方向に突出する舌片状の第１受け部と、この第１受け部の下方に近接した部位から略Ｌ字状に突出する第２受け部を設け、前記ラジエータの周辺部材に、第１受け部を前後方向へ弾性変形させながら上方から第２受け部の内側に挿入して該第１受け部に係止可能な挿入部を設けると、これら両者を容易に固定できるようになる。
【特許文献１】特開２００２−１１４０２５号公報
【発明の開示】
【発明が解決しようとする課題】
【０００３】
しかしながら、ラジエータの第１受け部の前後方向の弾性変形量（以下、変形ストローク量と称す）を十分に確保するためには、この第１受け部をタンクから前後方向に大きく突出させる必要があるため、結果的に第２受け部もタンクから前後方向に大きく突出することとなり、車両搭載時の周辺のレイアウトの自由度が狭くなるという問題点があった。
なお、第１受け部の変形ストローク量が不足すると、該第１受け部が亀裂・破損する虞や、挿入部を第２受け部の内側に挿入する際の挿入性が悪くなる虞がある。
【０００４】
本発明は上記課題を解決するためになされたものであって、その目的とするところは、ラジエータと周辺部材を容易に固定できると同時に、ラジエータの第１受け部の変形ストローク量を十分に確保しつつ、第２受け部の前後方向の突出長さを抑えてコンパクトにでき、これによって、ラジエータの周辺レイアウトの自由度を拡大できるラジエータと周辺部材の固定構造を提供することである。
【課題を解決するための手段】
【０００５】
本発明の請求項１記載の発明では、ラジエータの樹脂製のタンクに、該タンクの一部を内側に窪ませて形成された凹部から前後方向に突出する舌片状の第１受け部と、この第１受け部の下方に近接した部位から略Ｌ字状に突出する第２受け部を設け、前記ラジエータの周辺部材に、第１受け部を前後方向へ弾性変形させながら上方から第２受け部の内側に挿入して該第１受け部に係止可能な挿入部を設けたことを特徴とする。
【発明の効果】
【０００６】
本発明の請求項１記載の発明にあっては、ラジエータの樹脂製のタンクに、該タンクの一部を内側に窪ませて形成された凹部から前後方向に突出する舌片状の第１受け部と、この第１受け部の下方に近接した部位から略Ｌ字状に突出する第２受け部を設け、前記ラジエータの周辺部材に、第１受け部を前後方向へ弾性変形させながら上方から第２受け部の内側に挿入して該第１受け部に係止可能な挿入部を設けたため、ラジエータと周辺部材を容易に固定できると同時に、ラジエータの第１受け部の変形ストローク量を確保しつつ、第１受け部及び第２受け部の前後方向の突出長さを抑えてコンパクトにでき、これによって、ラジエータの周辺レイアウトの自由度を拡大できる。
【発明を実施するための最良の形態】
【０００７】
以下、この発明の実施例を図面に基づいて説明する。
【実施例１】
【０００８】
以下、実施例１を説明する。
なお、本実施例１ではラジエータの周辺部材をコンデンサに適用した場合について説明する。また、車両前後上下左右方向を前後上下左右方向と略して説明する。
図１は本発明の実施例１のラジエータと周辺部材の固定構造を示す斜視図、図２はラジエータの斜視図、図３はラジエータのタンクの上端部付近を説明する斜視図、図４は図３のＳ４−Ｓ４線における斜視断面図、図５は図４のＳ５−Ｓ５線における斜視断面図、図６はラジエータの下端部付近を説明する斜視図である。
【０００９】
図７はコンデンサの斜視図、図８はコンデンサの上端部付近を説明する斜視図、図９は同下端部付近を説明する斜視図である。
図１０〜１３はラジエータとコンデンサの上端部付近の固定を説明する斜視図、図１４はラジエータとコンデンサの下端部付近の固定を説明する図である。
【００１０】
先ず、全体構成を説明する。
図１に示すように、本実施例１では、ラジエータ１と、このラジエータ１の前方に固定されたコンデンサ２（ラジエータの周辺部材に相当）が備えられている。
【００１１】
図２に示すように、ラジエータ１は、アルミ製のコア部３と、このコア部３の左右に一対の樹脂製のタンク4,5が配置された所謂パラレルフロー型のラジエータが採用されている。
コア部３は、両端部がタンク4,5と重ねられたチューブプレート3a,3bに挿通し固定された複数のチューブ（図示を省略）と、隣接するチューブ同士の間に配置されたフィン（図示を省略）で構成される他、両端部がチューブプレート3a,3bに挿通し固定された一対のレインフォースR1,R2で連結補強されている。
【００１２】
図３〜５に示すように、タンク５（４）の上部前面には、内側へ窪んだ凹部６が形成されると共に、この凹部６に第１受け部７が形成されている。
第１受け部７は、凹部６と連続するタンク５（４）の上端部２０から前方へ突出して該凹部６の前方で前後方向へ弾性変形可能な舌片状に形成される他、その先端側は傾斜状のテーパ部７ａと後方へ切欠された段部７ｂが形成されている。
【００１３】
また、第１受け部７の下方に近接した部位には、前方へ略Ｌ字状に突出した第２受け部８が形成されている。
さらに、図６に示すように、タンク５（４）の下部前面には、前方へ略Ｌ字状に突出した板状の第３受け部９が形成されている。なお、本実施例１の第３受け部９の基部側には空間Ｏが形成されているが、この限りではない。
【００１４】
その他、タンク4,5には、上下方向に突出した円柱状の車両搭載ピン4a,5aが設けられる他、後方側へ突出した円筒状の入出力ポート4b,5bが設けられている。
【００１５】
図７に示すように、コンデンサ２は、左右に配置された一対のタンク10,11と、これらタンク10,11の間に配置されたコア部１２で構成されている。
コア部１２は、両端部がそれぞれ対応するタンク10,11に挿通し固定された複数のチューブ（図示を省略）と、隣接するチューブ同士の間に配置されたフィン（図示を省略）で構成されている。
また、両タンク10,11はそれぞれの内部が図外の仕切り板によって上層の凝縮部と下層の過冷却部に区分されており、タンク１０には凝縮部に連通したコネクタＫ１と、過冷却部に連通した接続管１３が設けられ、タンク１１には凝縮部と過冷却部の両方に連通したレシーバタンク１４が設けられている。
その他、コンデンサ２の各構成部材は全てアルミ製となっている。
【００１６】
そして、図８、９に示すように、コンデンサ２のタンク１１（１０）の上下端部には、樹脂製のパッチ15,16が装着されると共に、これらパッチ15,16には、左右方向へ突出した板状の挿入部17,18が形成されている。
また、挿入部１７の下方を除く外周縁部には前方へ突出する壁部１７ａ〜１７ｃが形成され、挿入部１８のタンク１１側と下方を除く外周縁部には前方へ突出する壁部18a,18bが形成されている。
【００１７】
次に、作用を説明する。
このように構成されたラジエータ１とコンデンサ２を固定するには、図１０（ａ）に示すように、ラジエータ１の斜め前方の所定位置にコンデンサ２を配置した後、コンデンサ２を下方へ移動させると、図１１〜１３に示すように、ラジエータ１の左右上部において、コンデンサ２の挿入部１７が第１受け部７を後方へ弾性変形させながら第２受け部８の内側に進入し、第１受け部７のテーパ部７ａを乗り越えた後に、第１受け部７の段部７ｂが挿入部１７の上方の壁部１７ａに係止することによって、コンデンサ２の上部をラジエータ１に固定する（図１０（ｂ）参照）。
この際、第２受け部８の対向する壁部8a,8aと底部８ｂによって挿入部１７を保持できる他、上述した壁部１７ａと段部７ｂの係止により挿入部１７の上方への移動を規制できる。
さらに、挿入部１７の壁部17b,17cと第２受け部８が近接することにより、該挿入部１７の左右及び下方への移動を規制できる。
【００１８】
ここで、ラジエータの第１受け部の変形ストローク量を十分に確保するためには、この第１受け部をタンクから前後方向に大きく突出させる必要があるため、結果的に第２受け部もタンクから前後方向に大きく突出することとなり、ラジエータの周辺レイアウトの自由度が狭くなるという問題があった。
【００１９】
しかしながら、本実施例１のラジエータ１の周辺部材取付構造では、タンク５（４）の一部を内側へ窪ませて形成された凹部６に第１受け部７を設けたため、凹部６の深さＷ１（図１１に図示）に相当する第１受け部７の変形ストローク量を確保でき、挿入部１７をスムーズに第２受け部８の内側へ挿入できる。
【００２０】
また、第１受け部７及び第２受け部８をタンク５（４）から前方へ大きく突出させる必要がないため、周辺のレイアウトの自由度を拡大できる。
【００２１】
また、第１受け部７の基端側が、凹部６と連続するタンク５（４）の上端部２０に接続されることにより、変形ストローク量に必要な第１受け部７の上下方向の長さを容易に確保できる。
【００２２】
一方、図１４に示すように、ラジエータ１の左右下部において、コンデンサ２の挿入部１８が、第３受け部９の内側に進入し、該コンデンサ２の下部をラジエータ１に固定する。
この際、第３受け部９の対向する壁部9a,9aと底部９ｂによって挿入部１８を保持できる他、挿入部１８の壁部18a,18bと第３受け部９が近接することにより、該挿入部１８の左右及び上方への移動を規制される。
【００２３】
従って、コンデンサ２の挿入部17,18をラジエータ１のそれぞれ対応する第１〜３受け部7,8,9に固定するという簡便な作業でもって、ラジエータ１とコンデンサ２を容易に固定できる。
【００２４】
次に、効果を説明する。
以上説明したように、本実施例１のラジエータと周辺部材の固定構造にあっては、ラジエータ１の樹脂製のタンク５（４）に、該タンク５（４）の一部を内側に窪ませて形成された凹部６から前後方向に突出する舌片状の第１受け部７と、この第１受け部７の下方に近接した部位から略Ｌ字状に突出する第２受け部８を設け、コンデンサ２に、第１受け部７を前後方向へ弾性変形させながら上方から第２受け部８の内側に挿入して該第１受け部７に係止可能な挿入部１７を設けたため、ラジエータ１とコンデンサ２を容易に固定できると同時に、ラジエータ１の第１受け部７の変形ストローク量を確保しつつ、第１受け部７及び第２受け部８の前後方向の突出長さを抑えてコンパクトにでき、これによって、ラジエータ１の周辺レイアウトの自由度を拡大できる。
【００２５】
以上、本実施例を説明してきたが、本発明は上述の実施例に限られるものではなく、本発明の要旨を逸脱しない範囲の設計変更等があっても、本発明に含まれる。
例えば、本実施例１ではラジエータ１をダウンフロー型のラジエータについて説明したが、コア部３の上下にタンク4,5を配置した所謂パラレルフロー型のラジエータに適用しても良い。
【００２６】
また、本実施例では、ラジエータの周辺部材をコンデンサに適用した場合について説明したが、周辺部材をラジエータの後方に固定されるファンシュラウドに適用しても良い。
【図面の簡単な説明】
【００２７】
【図１】本発明の実施例１のラジエータと周辺部材の固定構造を示す斜視図である。
【図２】ラジエータの斜視図である。
【図３】ラジエータのタンクの上端部付近を説明する斜視図である。
【図４】図３のＳ４−Ｓ４線における斜視断面図である。
【図５】図３のＳ５−Ｓ５線における斜視断面図である。
【図６】ラジエータの下端部付近を説明する斜視図である。
【図７】コンデンサの斜視図である。
【図８】コンデンサの上端部付近を説明する斜視図である。
【図９】コンデンサの下端部付近を説明する斜視図である。
【図１０】ラジエータとコンデンサの上端部付近の固定を説明する斜視図である。
【図１１】ラジエータとコンデンサの上端部付近の固定を説明する斜視図である。
【図１２】ラジエータとコンデンサの上端部付近の固定を説明する斜視図である。
【図１３】ラジエータとコンデンサの上端部付近の固定を説明する斜視図である。
【図１４】ラジエータとコンデンサの下端部付近の固定を説明する図である。
【符号の説明】
【００２８】
Ｒ１、Ｒ２  レインフォース
１  ラジエータ
２  コンデンサ
３  （ラジエータの）コア部
４、５  （ラジエータの）タンク
４ａ、５ａ  車両搭載ピン
４ｂ、５ｂ  入出力ポート
６  凹部
７  第１受け部
７ａ  テーパ部
７ｂ  段部
８  第２受け部
８ａ、８ｂ、９ａ、９ｂ、１７ａ、１７ｂ、１７ｃ、１８ａ、１８ｂ  壁部
９  第３受け部
１０、１１  （コンデンサの）タンク
１２  （コンデンサの）コア部
１３  接続管
１４  レシーバタンク
１５、１６  パッチ
１７、１８  挿入部
【図１】
2007216749.tif 000003
【図２】
2007216749.tif 000004
【図３】
2007216749.tif 000005
【図４】
2007216749.tif 000006
【図５】
2007216749.tif 000007
【図６】
2007216749.tif 000008
【図７】
2007216749.tif 000009
【図８】
2007216749.tif 000010
【図９】
2007216749.tif 000011
【図１０】
2007216749.tif 000012
【図１１】
2007216749.tif 000013
【図１２】
2007216749.tif 000014
【図１３】
2007216749.tif 000015
【図１４】
2007216749.tif 000016